(57)【要約】【課題】移動端末装置の外部の装置により、移動端末装置における操作を反映した動作を行わせることが可能な移動端末装置、移動端末装置の制御方法、及び、プログラムを提供する。【解決手段】プロジェクター１１にデータ送信可能な移動端末装置２１は、表示パネル２２に画像データに対応する画像を表示し、この画像が表示された状態で表示パネル２２に対する接触操作が検出された場合に、画像データをプロジェクター１１に送信する。【選択図】図１
2012242927.tif 000002
【特許請求の範囲】
【請求項１】
移動端末装置であって、
外部の表示装置に対しデータ送信可能な通信手段と、
画像データを記憶する記憶手段と、
表示画面に前記画像データに対応する画像を表示する表示手段と、
前記表示画面に対する接触操作を検出する検出手段と、
前記表示手段によって前記画像データに対応する画像が表示された状態で前記検出手段によって接触操作が検出された場合に、前記画像データを前記通信手段により前記表示装置に送信する制御手段と、
を備えることを特徴とする移動端末装置。
【請求項２】
移動端末装置であって、
外部の表示装置に対しデータ送信可能な通信手段と、
画像データを記憶する記憶手段と、
表示画面に前記画像データに対応する画像を表示する表示手段と、
当該移動端末装置を動かす操作を検出する検出手段と、
前記表示手段によって前記画像データに対応する画像が表示された状態で前記検出手段によって当該移動端末装置を動かす操作が検出された場合に、前記画像データを前記通信手段により前記表示装置に送信する制御手段と、
を備えることを特徴とする移動端末装置。
【請求項３】
前記接触操作又は前記移動端末装置を動かす操作の方向または速さの少なくとも一方を判定する操作判定手段を備え、
前記制御手段は、前記表示手段によって前記画像データに対応する画像が表示された状態で前記検出手段によって接触操作又は前記移動端末装置を動かす操作が検出された場合に、前記操作判定手段により判定された方向または速さ反映した形態で前記表示装置が前記画像データに対応する画像を表示するための情報を、前記通信手段により前記表示装置に送信することを特徴とする請求項１または２記載の移動端末装置。
【請求項４】
前記制御手段は、前記画像データとともに、前記操作判定手段により判定された方向及び速さを示す情報を前記表示装置に送信することを特徴とする請求項３記載の移動端末装置。
【請求項５】
前記制御手段は、前記検出手段により検出された接触操作が前記表示画面外に続くスライド操作であった場合に、前記情報を前記表示装置に送信することを特徴とする請求項１記載の移動端末装置。
【請求項６】
外部の表示装置に対しデータ送信可能な移動端末装置の制御方法であって、
表示画面に画像データに対応する画像を表示し、
前記表示画面に対する接触操作を検出し、
前記表示画面に前記画像データに対応する画像が表示された状態で接触操作が検出された場合に、前記画像データを前記表示装置に送信すること、
を特徴とする移動端末装置の制御方法。
【請求項７】
外部の表示装置に対しデータ送信可能な移動端末装置の制御方法であって、
表示画面に画像データに対応する画像を表示し、
当該移動端末装置を動かす操作を検出し、
前記表示画面に前記画像データに対応する画像が表示された状態で前記検出手段によって当該移動端末装置を動かす操作が検出された場合に、前記画像データを前記表示装置に送信すること、
を特徴とする移動端末装置の制御方法。
【請求項８】
外部の表示装置に対しデータ送信可能な通信手段と、画像データを記憶する記憶手段と、表示画面に前記画像データに対応する画像を表示する表示手段とを備えた移動端末装置を制御するコンピューターが実行可能なプログラムであって、
前記表示画面に対する接触操作を検出する検出手段と、
前記表示手段によって前記画像データに対応する画像が表示された状態で前記検出手段によって接触操作が検出された場合に、前記画像データを前記通信手段により前記表示装置に送信する制御手段と、
して機能させることを特徴とするプログラム。
【請求項９】
外部の表示装置に対しデータ送信可能な通信手段と、画像データを記憶する記憶手段と、表示画面に前記画像データに対応する画像を表示する表示手段とを備えた移動端末装置を制御するコンピューターが実行可能なプログラムであって、
当該移動端末装置を動かす操作を検出する検出手段と、
前記表示手段によって前記画像データに対応する画像が表示された状態で前記検出手段によって当該移動端末装置を動かす操作が検出された場合に、前記画像データを前記通信手段により前記表示装置に送信する制御手段と、
して機能させることを特徴とするプログラム。
【発明の詳細な説明】
【技術分野】
【０００１】
本発明は、移動端末装置、移動端末装置の制御方法、及び、プログラムに関する。
【背景技術】
【０００２】
近年、画像データを再生して画像を表示する移動端末装置が普及している。この種の移動端末装置の利用法として、画像データを外部の表示装置に送信して、この外部の表示装置によって表示させることが提案された（例えば、特許文献１参照）。特許文献１には、移動端末装置であるＰＤＡから表示装置としてのプロジェクターに画像データを送信して表示させる。
【先行技術文献】
【特許文献】
【０００３】
【特許文献１】特開２００４−２５９０９０号公報
【発明の概要】
【発明が解決しようとする課題】
【０００４】
ところで、近年特に普及している移動端末装置の多くは、大型のタッチスクリーン等の入力デバイスを備え、多彩な操作が可能となっている。しかしながら、特許文献１に記載された構成のように、外部の装置の動作にまで移動端末装置の操作の態様を反映させることは行われていなかった。
本発明は、上述した従来の技術が有する課題を解消し、移動端末装置の外部の装置により、移動端末装置における操作を反映した動作を行わせることが可能な移動端末装置、移動端末装置の制御方法、及び、プログラムを提供することを目的とする。
【課題を解決するための手段】
【０００５】
上記目的を達成するために、本発明は、移動端末装置であって、外部の表示装置に対しデータ送信可能な通信手段と、画像データを記憶する記憶手段と、表示画面に画像データに対応する画像を表示する表示手段と、前記表示画面に対する接触操作を検出する検出手段と、前記表示手段によって前記画像データに対応する画像が表示された状態で前記検出手段によって接触操作が検出された場合に、前記画像データを前記通信手段により前記表示装置に送信する制御手段と、を備えることを特徴とする。
本発明によれば、移動端末装置が画像を表示した表示画面に対して接触操作を行うことにより、その画像に対応する画像データが表示装置に送信されるので、移動端末装置が表示していた画像と同じ画像を表示装置において表示できる。これにより、移動端末装置における操作を反映して表示装置を動作させることができ、移動端末装置のユーザーインターフェースを利用して、表示装置の操作性の向上を図ることができる。
【０００６】
上記目的を達成するために、本発明は、移動端末装置であって、外部の表示装置に対しデータ送信可能な通信手段と、画像データを記憶する記憶手段と、表示画面に前記画像データに対応する画像を表示する表示手段と、当該移動端末装置を動かす操作を検出する検出手段と、前記表示手段によって前記画像データに対応する画像が表示された状態で前記検出手段によって当該移動端末装置を動かす操作が検出された場合に、前記画像データを前記通信手段により前記表示装置に送信する制御手段と、を備えることを特徴とする。
本発明によれば、移動端末装置が画像を表示した状態で移動端末装置を動かす操作を行うことにより、その画像に対応する画像データが表示装置に送信されるので、移動端末装置が表示していた画像と同じ画像を表示装置において表示できる。これにより、移動端末装置における操作を反映して表示装置を動作させることができ、移動端末装置のユーザーインターフェースを利用して、表示装置の操作性の向上を図ることができる。
【０００７】
また、本発明は、上記移動端末装置において、前記接触操作又は前記移動端末装置を動かす操作の方向または速さの少なくとも一方を判定する操作判定手段を備え、前記制御手段は、前記表示手段によって前記画像データに対応する画像が表示された状態で前記検出手段によって接触操作又は前記移動端末装置を動かす操作が検出された場合に、前記操作判定手段により判定された方向または速さを反映した形態で前記表示装置が前記画像データに対応する画像を表示するための情報を、前記通信手段により前記表示装置に送信することを特徴とする。
本発明によれば、移動端末装置における接触操作又は前記移動端末装置を動かす操作の方向または速さの少なくとも一方を判定して、この操作の方向または速さを反映した形態で表示装置が画像を表示するための情報を表示装置に送信するので、表示装置によって、移動端末装置に対する操作の態様を反映した表示を行わせることができる。
【０００８】
また、本発明は、上記移動端末装置において、前記制御手段は、前記画像データとともに、前記操作判定手段により判定された方向及び速さを示す情報を前記表示装置に送信することを特徴とする。
本発明によれば、表示装置において、移動端末装置の操作の方向及び速さを容易に取得することができ、この操作の方向及び速さを反映した形態で画像を表示できる。
【０００９】
また、本発明は、上記移動端末装置において、前記制御手段は、前記検出手段により検出された接触操作が前記表示画面外に続くスライド操作であった場合に、前記情報を前記表示装置に送信することを特徴とする。
本発明によれば、移動端末装置の表示画面に対するスライド操作に応答して、このスライド操作の方向及び速さを示す情報が表示装置に送信されるので、表示装置を簡単に、かつ手軽に操作して画像を任意の形態で表示させることができる。
【００１０】
上記目的を達成するために、本発明は、外部の表示装置に対しデータ送信可能な移動端末装置の制御方法であって、表示画面に画像データに対応する画像を表示し、前記表示画面に対する接触操作を検出し、前記表示画面に前記画像データに対応する画像が表示された状態で接触操作が検出された場合に、前記画像データを前記表示装置に送信することを特徴とする。
本発明の制御方法を実行することにより、移動端末装置が画像を表示した表示画面に対して接触操作を行うと、表示されている画像に対応する画像データが表示装置に送信され、移動端末装置に表示中の画像が表示装置によって表示される。これにより、移動端末装置における操作を反映して表示装置を動作させることができ、移動端末装置のユーザーインターフェースを利用して、表示装置の操作性の向上を図ることができる。
【００１１】
上記目的を達成するために、本発明は、外部の表示装置に対しデータ送信可能な移動端末装置の制御方法であって、表示画面に画像データに対応する画像を表示し、当該移動端末装置を動かす操作を検出し、前記表示画面に前記画像データに対応する画像が表示された状態で前記検出手段によって当該移動端末装置を動かす操作が検出された場合に、前記画像データを前記表示装置に送信することを特徴とする。
本発明によれば、移動端末装置が画像を表示した状態で移動端末装置を動かす操作を行うことにより、表示されている画像に対応する画像データが表示装置に送信され、移動端末装置に表示中の画像が表示装置によって表示される。これにより、移動端末装置における操作を反映して表示装置を動作させることができ、移動端末装置のユーザーインターフェースを利用して、表示装置の操作性の向上を図ることができる。
【００１２】
上記目的を達成するために、本発明は、外部の表示装置に対しデータ送信可能な通信手段と、画像データを記憶する記憶手段と、表示画面に前記画像データに対応する画像を表示する表示手段とを備えた移動端末装置を制御するコンピューターが実行可能なプログラムであって、前記表示画面に対する接触操作を検出する検出手段と、前記表示手段によって前記画像データに対応する画像が表示された状態で前記検出手段によって接触操作が検出された場合に、前記画像データを前記通信手段により前記表示装置に送信する制御手段と、して機能させることを特徴とする。
本発明のプログラムを実行することにより、移動端末装置が画像を表示した表示画面に対して接触操作を行うと、表示されている画像に対応する画像データが表示装置に送信され、移動端末装置に表示中の画像が表示装置によって表示される。これにより、移動端末装置における操作を反映して表示装置を動作させることができ、移動端末装置のユーザーインターフェースを利用して、表示装置の操作性の向上を図ることができる。
【００１３】
上記目的を達成するために、本発明は、外部の表示装置に対しデータ送信可能な通信手段と、画像データを記憶する記憶手段と、表示画面に前記画像データに対応する画像を表示する表示手段とを備えた移動端末装置を制御するコンピューターが実行可能なプログラムであって、当該移動端末装置を動かす操作を検出する検出手段と、前記表示手段によって前記画像データに対応する画像が表示された状態で前記検出手段によって当該移動端末装置を動かす操作が検出された場合に、前記画像データを前記通信手段により前記表示装置に送信する制御手段と、して機能させることを特徴とする。
本発明のプログラムを実行することにより、移動端末装置が画像を表示した状態で移動端末装置を動かす操作を行うことにより、表示されている画像に対応する画像データが表示装置に送信され、移動端末装置に表示中の画像が表示装置によって表示される。これにより、移動端末装置における操作を反映して表示装置を動作させることができ、移動端末装置のユーザーインターフェースを利用して、表示装置の操作性の向上を図ることができる。
【発明の効果】
【００１４】
本発明によれば、移動端末装置のユーザーインターフェースを利用して、表示装置の操作性の向上を図ることができる。
【図面の簡単な説明】
【００１５】
【図１】本発明を適用した実施形態に係る表示システムの概略構成及び表示態様の例を示す図である。
【図２】移動端末装置の機能的構成を示すブロック図である。
【図３】プロジェクターの機能的構成を示すブロック図である。
【図４】表示システムの表示態様の別の例を示す図である。
【図５】移動端末装置の動作を示すフローチャートである。
【図６】プロジェクターの動作を示すフローチャートである。
【発明を実施するための形態】
【００１６】
以下、図面を参照して本発明の実施形態について説明する。
図１は、本発明を適用した表示装置としてのプロジェクター１１と、移動端末装置２１とを備えて構成される表示システム１０の概略構成を示す図である。
この図１に示すように、プロジェクター１１は、スクリーンＳＣに対して画像を投射する装置である。また、移動端末装置２１は、筐体の前面に表示画面としての表示パネル２２を有する。この表示パネル２２の表面は後述するタッチスクリーン２３となっていて、表示パネル２２への接触操作を検出可能である。また、移動端末装置２１は表示パネル２２に並べて配置されるスイッチ２４等の操作子を備えている。
プロジェクター１１が画像を投射するスクリーンＳＣはほぼ直立しており、スクリーン面は、例えば矩形形状である。プロジェクター１１は動画像（映像）をスクリーンＳＣに投射することも、静止画像をスクリーンＳＣに投射し続けることも可能である。
【００１７】
プロジェクター１１と移動端末装置２１は、無線通信方式によって各種データを送受信可能に接続されている。この無線通信方式は、例えば無線ＬＡＮ、Bluetooth（登録商標）、ＵＷＢ、赤外線通信等の近距離無線通信方式や、携帯電話回線を利用した無線通信方式を採用することができる。また、プロジェクター１１及び移動端末装置２１が１対１で接続される形態に限定されず、他の複数の装置とともにプロジェクター１１及び移動端末装置２１が通信可能に接続される形態であってもよい。
【００１８】
移動端末装置２１は、ユーザーが手に持って操作する携帯型の端末装置であり、スイッチ２４等の操作子に対する操作のほか、表示パネル２２の表面にユーザーが手指で接触することにより操作でき、これらの操作に応じて、例えば記憶している画像データを再生して画像を表示する等の動作を実行する。
表示パネル２２に対する操作は、表示パネル２２に仮想的に設けられた直交座標系２２１における位置座標として検出される。すなわち、ユーザーが表示パネル２２に指で接触すると、この操作を検出した移動端末装置２１は、接触位置の座標を特定する。なお、図１には表示パネル２２の中心を原点とする直交座標系２２１を図示しているが、表示パネル２２の一隅を原点としてもよい。移動端末装置２１は、表示パネル２２の表面に対する操作が、表示パネル２２に指が接触したまま移動する、いわゆるスライド操作であった場合には、その移動の軌跡を取得し、移動方向および移動速さを判定する機能を有する。このため、例えば図１に矢印Ａで示すように、表示パネル２２の左下側から右上側に向けてスライド操作が行われると、移動端末装置２１は当該操作の方向及び移動速さを判定する。この図１の例では、矢印Ａで示すスライド操作は表示パネル２２の縁から外に出る操作である。移動端末装置２１は、このスライド操作に対応して、表示パネル２２に表示していた画像２０１を、矢印Ａ方向に移動させるように表示態様を変化させる。そして、スライド操作が表示パネル２２の縁から外に出たことを検出すると、移動端末装置２１は、スライド操作の方向及び速さを示す移動データと、画像２０１の画像データとをプロジェクター１１に送信する。
【００１９】
これに対し、プロジェクター１１には、プロジェクター１１が画像を投射する投射領域に、仮想的に直交座標系１１０が設定されている。本実施形態では一例として、プロジェクター１１の投射領域は矩形であり、スクリーンＳＣと同じものと見なす。このため、図１には、スクリーンＳＣの水平方向及び垂直方向に沿って座標軸が設定される。
プロジェクター１１は、移動端末装置２１から画像データと移動データとを受信すると、受信した画像データをもとにスクリーンＳＣに画像２０１を表示し、スライド操作の方向及び速さを反映して、図中矢印Ａ´で示す方向に画像２０１を移動させる。
このように、表示システム１０においては、移動端末装置２１に表示された画像２０１を移動させる操作を行い、この操作が表示パネル２２の外に出ると、プロジェクター１１により画像２０１が表示される。従って、移動端末装置２１のユーザーインターフェースである表示パネル２２及び後述するタッチスクリーン２３（図２）を利用して、移動端末装置２１とプロジェクター１１の両方を操作し、興趣性に富む表示を行わせることができる。また、プロジェクター１１の操作性を向上させることができる。
【００２０】
以下、実施形態の表示システム１０の構成を詳細に説明する。
図２は、移動端末装置２１の機能的構成を示すブロック図である。
この図２に示すように、移動端末装置２１は、移動端末装置２１の各部を制御する制御部２１１を備える。制御部２１１は、図示しないＣＰＵ、ＲＡＭ、ＲＯＭ等を備え、ＲＯＭに記憶した基本制御プログラムをＣＰＵにより実行して、移動端末装置２１を制御する。また、制御部２１１には記憶手段としての記憶部２１４が接続されており、記憶部２１４には、制御プログラム２１４Ａを含む各種プログラム、及び、画像データ２１５等の各種データが不揮発的に記憶されている。
制御部２１１は、記憶部２１４に記憶された制御プログラム２１４Ａを実行することにより、操作検出部２１７によって検出された操作の方向および速さを判定する操作判定部２１２、及び、プロジェクター１１へ画像データ２１５を送信する処理を行う画像送信制御部２１３として機能する。
【００２１】
また、移動端末装置２１は、上述のように表示パネル２２の表面全体における接触操作を検出するタッチスクリーン２３と、スイッチ２４を含む各種操作子からなるスイッチ部２５と、加速度センサー２６とを備えている。タッチスクリーン２３は、表示パネル２２への接触操作を検出して、検出した操作位置を示す信号を操作検出部２１７に出力する。検出手段としての操作検出部２１７は、タッチスクリーン２３から入力された信号に基づいて操作位置の座標を示す制御データを生成し、制御部２１１に出力する。また、スイッチ部２５は、スイッチ２４を含む各操作子が操作された場合に操作信号を操作検出部２１７に出力する。操作検出部２１７は、スイッチ部２５から入力された操作信号に基づいて、操作された操作子に対応する制御データを生成して制御部２１１に出力する。加速度センサー２６は、移動端末装置２１の本体（筐体）に固定されており、移動端末装置２１に対して加わる加速度を検出する。加速度センサー２６としては１軸、２軸、或いは３軸以上の方向の加速度を検出するセンサーを利用できる。加速度センサー２６は、加速度を所定周期で常時サンプリングし、検出した加速度と軸方向とを示す信号を操作検出部２１７に出力する。操作検出部２１７は、加速度センサー２６から入力される信号をもとに、検出された加速度と、移動端末装置２１に予め設定された方向軸（例えば、図１に示した直交座標系２２１と同様の軸）に対する加速度の方向とを示す制御データを生成して、制御部２１１に出力する。
制御部２１１は、操作検出部２１７から入力される制御データに基づいて、表示パネル２２に対する接触操作、スイッチ２４を含む各操作子の操作、及び、移動端末装置２１の本体を動かす操作を検出できる。
【００２２】
制御部２１１には、表示パネル２２を駆動して各種画面を表示する表示手段としての表示部２１６が接続されている。表示部２１６は、制御部２１１から入力される画像データに基づいて、図示しない描画メモリーに、表示パネル２２の表示解像度に合わせたフレームを描画し、描画したフレームに基づき表示パネル２２を駆動する。表示パネル２２は、透過型、反射型あるいは半透過型の液晶表示パネル、ＯＬＥＤ（Organic Light-emitting-diode）、ＯＥＬ（Organic Electro-Luminescence）等と呼ばれる有機ＥＬ表示パネル等からなるフラットパネルディスプレイである。透過型及び半透過型液晶パネルを用いる場合にはバックライトが付属される。
【００２３】
また、制御部２１１には、プロジェクター１１との間で上述した無線通信方式に準じて各種データを送受信する通信手段としての無線通信部２１８が接続されている。無線通信部２１８は、図示しないアンテナやＲＦ回路等を備え、制御部２１１の画像送信制御部２１３によって制御され、画像データ等をプロジェクター１１に送信する。
【００２４】
操作判定手段としての操作判定部２１２は、操作検出部２１７からタッチスクリーン２３における操作位置の座標を示す制御データが入力されると、この制御データに基づいて、表示パネル２２への接触操作が一カ所への接触操作か、表示パネル２２上で移動するスライド操作かを判定する。また、操作判定部２１２は、表示部２１６により表示パネル２２に表示中の画面がＧＵＩ（グラフィカル・ユーザー・インターフェイス）を構成する場合に、スライド操作でない接触操作が行われた場合には、操作検出部２１７から入力された制御データによって特定される操作位置に対応する処理または機能を特定し、この処理または機能を実行する。さらに、操作判定部２１２は、加速度センサー２６の検出値に基づいて操作検出部２１７から入力される制御データをもとに、移動端末装置２１本体を動かす操作の有無を判定する。操作判定部２１２は、移動端末装置２１を動かす操作が行われた場合に、加速度センサー２６が検出した加速度に基づいて操作の方向及び速さを判定する。制御部２１１は、操作判定部２１２が判定した操作の方向及び速さに対応して、表示部２１６を制御し、表示パネル２２に表示中の画像の表示態様を変化させる。
また、制御手段としての画像送信制御部２１３は、操作判定部２１２が判定した操作の方向及び速さを示す移動データを生成し、記憶部２１４に記憶した画像データ２１５とともに、無線通信部２１８によってプロジェクター１１へ送信する。
【００２５】
図３は、プロジェクター１１の機能的構成を示すブロック図である。
プロジェクター１１は、外部の装置に接続されるＩ／Ｆ（インターフェース）１０１を備え、このＩ／Ｆ１０１にＰＣ１３が接続されている。例えば、Ｉ／Ｆ１０１は、ＵＳＢインターフェース、有線または無線ＬＡＮインターフェース、アナログ映像信号が入力されるＶＧＡ端子、デジタル映像信号が入力されるＤＶＩ（Digital Visual Interface）、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子、ＨＤＭＩ（登録商標）規格に準拠したＨＤＭＩコネクター等を備え、上記の端子やコネクターを介して信号を入出力するインターフェース回路を備えていてもよい。
【００２６】
プロジェクター１１は、大きく分けて光学的な画像の形成を行う投射部３（表示手段）と、この投射部３に入力される画像信号を電気的に処理する画像処理系とからなる。投射部３は、照明光学系３１、光変調装置としての液晶パネル３２、及び投射光学系３３から構成されている。照明光学系３１は、キセノンランプ、超高圧水銀ランプ、ＬＥＤ（Light Emitting Diode）等からなる光源を備えている。また、照明光学系３１は、光源が発した光を液晶パネル３２に導くリフレクター及び補助リフレクターを備えていてもよく、投射光の光学特性を高めるためのレンズ群（図示略）、偏光板、或いは光源が発した光の光量を液晶パネル３２に至る経路上で低減させる調光素子等を備えたものであってもよい。
液晶パネル３２は、後述する画像処理系からの信号を受けて、パネル面に画像を形成する。液晶パネル３２は、カラーの投影を行うため、ＲＧＢの三原色に対応した３枚の液晶パネルからなる。そのため、照明光学系３１からの光はＲＧＢの３色の色光に分離され、各色光は対応する各液晶パネルに入射する。各液晶パネルを通過して変調された色光はクロスダイクロイックプリズム等の合成光学系によって合成され、投射光学系３３に射出される。
【００２７】
投射光学系３３は、投射する画像の拡大・縮小および焦点の調整を行うズームレンズ、ズームの度合いを調整するズーム調整用モーター、フォーカスの調整を行うフォーカス調整用モーター等を備えている。投射光学系３３は、液晶パネル３２で変調された入射光を、ズームレンズを用いてスクリーンＳＣ上に投射し、結像させる。
投射部３には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００２８】
画像処理系は、プロジェクター１１全体を統合的に制御する制御部１０３を中心に構成され、制御部１０３が処理するデータや制御部１０３が実行する制御プログラム１０５Ａを記憶した記憶部１０５、操作パネル４５及びリモコン受光部４１を介した操作を検出する入力処理部１２３、Ｉ／Ｆ１０１から入力される入力画像を処理する画像処理部１１３、及び、画像処理部１１３から出力される画像信号に基づいて液晶パネル３２を駆動して描画を行う光変調装置駆動部１１９を備えている。
【００２９】
制御部１０３は、記憶部１０５に記憶された制御プログラム１０５Ａを読み出して実行することにより、プロジェクター１１の各部を制御する。制御部１０３は、入力処理部１２３から入力される操作信号に基づいて、ユーザーが行った操作の内容を検出し、この操作に応じて画像処理部１１３、光変調装置駆動部１１９、投射光学系駆動部１２１及び光源駆動部１１７を制御して、投射部３によりスクリーンＳＣに画像を投射させる。
【００３０】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
【００３１】
Ｉ／Ｆ１０１には、Ｉ／Ｆ１０１を介して入力されたアナログ画像信号またはデジタル画像データを取得し、アナログ画像信号とデジタル画像データの判別、デジタル画像データのデータフォーマットの識別等を行う画像処理部１１３が接続されている。
画像処理部１１３は、外部の画像供給装置からアナログ画像信号が入力された場合に、このアナログ入力信号をＡ／Ｄ変換してデジタル画像データを出力する機能を有する。また、画像処理部１１３は、入力画像の画像データを、液晶パネル３２の仕様に適合した解像度のデータに変換する解像度変換処理等を実行し、液晶パネル３２により表示する表示用画像をフレームメモリー１１５に展開し、展開した表示用画像を光変調装置駆動部１１９に出力する。光変調装置駆動部１１９は、画像処理部１１３から入力される表示用画像に基づいて、液晶パネル３２を駆動する。これにより、制御部１０３の制御によって、液晶パネル３２に画像が描画され、この画像が投射光学系３３を介して、スクリーンＳＣ上に投射画像として投射される。
【００３２】
制御部１０３には、無線通信部４７（受信手段）が接続されている。無線通信部４７は、上述した無線通信方式で移動端末装置２１との間でデータを送受信し、受信したデータを制御部１０３に出力する。
制御部１０３は、制御プログラム１０５Ａを実行することで通信制御部１３１として機能する。通信制御部１３１は、無線通信部４７を制御して、移動端末装置２１から送信される画像データと、操作の方向及び速さを示す移動データとを受信する。
また、制御部１０３は、制御プログラム１０５Ａを実行することで表示制御部１３２として機能する。表示制御部１３２（表示制御手段）は、画像処理部１１３を制御して、無線通信部４７により受信した画像データを、Ｉ／Ｆ１０１を介して入力された画像と同様に表示するための処理を行わせる。さらに、表示制御部１３２は、画像処理部１１３を制御して、通信制御部１３１が移動端末装置２１から受信した移動データに基づいて、液晶パネル３２に表示している画像が移動するように表示状態を変化させる。
この表示制御部１３２の機能により、図１に示したように、表示パネル２２における操作の方向及び速さを反映した態様で、スクリーンＳＣに画像２０１が表示され、さらにスクリーンＳＣ上の画像２０１の表示状態を変化させることができる。
【００３３】
また、表示システム１０では、移動端末装置２１を動かす操作によって、移動端末装置２１からプロジェクター１１に画像データを送信して表示させることもできる。
図４は、表示システム１０における表示態様の別の例を示す図である。
上述した図１の例では、表示パネル２２におけるスライド操作に対応して、スライド操作の方向及び速さを反映した形態でプロジェクター１１がスクリーンＳＣ上に画像２０１を表示する。これに対し、図４に示す例では、図１の例と同様に移動端末装置２１には表示パネル２２に合わせて直交座標系２２１が設定され、プロジェクター１１にはスクリーンＳＣ上の投射範囲に合わせて直交座標系１１０が設定されている。
移動端末装置２１が、表示部２１６の機能により表示パネル２２に画像２０１を表示した状態で、例えば図４に示すように、ユーザーが移動端末装置２１本体を振る操作（いわゆるシェイク操作）を行った場合（矢印Ｂ）、表示パネル２２が搭載する加速度センサー２６によって、図中矢印Ｃで示す方向の加速度が検出される。操作判定部２１２は、操作検出部２１７から入力される制御データを取得し、制御データから得られる加速度センサー２６の検出値に基づいて、加速度の方向を判定し、さらに、検出された加速度の大きさの変化に基づいて、移動端末装置２１を振る速さを判定する。
【００３４】
画像送信制御部２１３は、操作判定部２１２が判定した加速度の方向、及び、操作の速さを示す移動データを生成し、この移動データを画像データ２１５とともに、プロジェクター１１に送信する。
プロジェクター１１は、通信制御部１３１の制御によって移動端末装置２１から画像データ２１５と移動データを受信すると、表示制御部１３２が、受信した画像データを投射部３によってスクリーンＳＣに投射する。さらに表示制御部１３２は、移動データに基づいて、表示した画像データを移動させるよう表示態様を変化させる。
このため、図４に示すように、表示パネル２２に表示されていた画像２０１がスクリーンＳＣに投射され、スクリーンＳＣ上で画像２０１が、移動端末装置２１の矢印Ｃに対応する方向Ｃ”に移動するよう投射される。
【００３５】
さらに、プロジェクター１１の表示制御部１３２は、画像２０１がスクリーンＳＣの下方から矢印Ｃ´で示すように現れる態様で投射することも可能である。すなわち、表示パネル２２を振る操作の方向と速さを単純に反映するように画像２０１を移動させるだけでなく、この操作の方向に沿って画像２０１の移動の軌跡を延長して、表示してもよい。この場合、移動端末装置２１における操作が誇張して表示態様に反映されるので、ユーザーに対しては操作性が鋭敏になった印象を与えるほか、より興趣性に富む表示を行える。
【００３６】
図５は、移動端末装置２１の動作を示すフローチャートである。
移動端末装置２１は、制御部２１１の制御のもと、タッチスクリーン２３やスイッチ部２５に対する操作に従って表示部２１６が表示パネル２２に画像を表示すると（ステップＳ１１）、操作判定部２１２が、タッチスクリーン２３（表示パネル２２）への接触操作を検出する（ステップＳ１２）。ここで、タッチスクリーン２３への接触操作があった場合（ステップＳ１２；Ｙｅｓ）、操作判定部２１２は、操作検出部２１７から入力される制御データに基づいて操作位置を取得し（ステップＳ１３）、検出された操作がスライド操作か否かを判定する（ステップＳ１４）。
【００３７】
検出された操作がスライド操作であった場合（ステップＳ１４；Ｙｅｓ）、操作判定部２１２は、スライド操作の方向および速さを判定する（ステップＳ１５）。続いて、画像送信制御部２１３が、操作判定部２１２により判定された方向及び速さを示す移動データを生成する（ステップＳ１６）。そして、画像送信制御部２１３は、生成した移動データに対応するように表示部２１６を制御して、表示パネル２２に表示された画像を移動させる一方で（ステップＳ１７）、表示中の画像の画像データとステップＳ１６で生成した移動データとをプロジェクター１１へ送信する（ステップＳ１８）。その後、制御部２１１は、操作待機状態に移行する（ステップＳ１９）。
【００３８】
また、操作判定部２１２は、操作検出部２１７が検出した操作がスライド操作でないと判定した場合（ステップＳ１４；Ｎｏ）、表示パネル２２に表示されたＧＵＩにおいて、当該操作位置に対応する機能または処理を特定し、特定した機能または処理を実行して（ステップＳ２０）、操作待機状態に移行する（ステップＳ１９）。
これに対し、タッチスクリーン２３への接触操作がなかった場合（ステップＳ１２；Ｎｏ）、操作判定部２１２は、操作検出部２１７から入力される制御データから加速度センサー２６の検出値を取得して、移動端末装置２１を振る操作の有無を判定する（ステップＳ２１）。シェイク操作も行われなかった場合には（ステップＳ２１；Ｎｏ）、操作判定部２１２はステップＳ１２に戻る。
【００３９】
移動端末装置２１に対するシェイク操作があった場合（ステップＳ２１；Ｙｅｓ）、操作判定部２１２は、操作検出部２１７から入力される制御データに基づいて操作の方向と速さを判定し（ステップＳ２２）、ステップＳ１６に移行する。その後、画像送信制御部２１３により移動データが生成され（ステップＳ１６）、移動データに基づいて表示が更新されるとともに（ステップＳ１７）、移動データが画像データとともにプロジェクター１１へ送信される（ステップＳ１８）。
これらの処理により、移動端末装置２１に対するスライド操作やシェイク操作を行うことで、移動端末装置２１が表示中の画像に対応する画像データのプロジェクター１１への送信が開始され、プロジェクター１１において、移動端末装置２１が表示中の画像を表示することが可能になる。
【００４０】
図６は、プロジェクター１１の動作を示すフローチャートである。
プロジェクター１１の通信制御部１３１は、移動端末装置２１から送信されたデータを無線通信部４７によって受信すると（ステップＳ３１）、受信したデータに移動データが含まれているか否かを判別する（ステップＳ３２）。ここで、移動端末装置２１における操作の方向と速さを示す移動データが受信された場合（ステップＳ３２；Ｙｅｓ）、表示制御部１３２は、受信した移動データに基づいて、操作の方向と速さを取得する（ステップＳ３４）。次いで、表示制御部１３２は、取得した操作の方向と速さを反映するように、表示態様を決定し（ステップＳ３５）、この表示態様に従って画像処理部１１３を制御して、投射部３により画像データをスクリーンＳＣに表示させ、さらに移動させる（ステップＳ３６）。その後、制御部１０３は待機状態に移行して（ステップＳ３７）、リモコン（図示略）や操作パネル４５の操作または無線通信部４７によってデータを受信するまで待機する。
【００４１】
また、移動端末装置２１から受信したデータに移動データが含まれていない場合（ステップＳ３２；Ｎｏ）、表示制御部１３２は、画像処理部１１３を制御して、移動端末装置２１から受信した画像データをスクリーンＳＣに表示させて（ステップＳ３３）、ステップＳ３７で待機状態に移行する。
【００４２】
以上説明したように、本発明を適用した実施形態に係る表示システム１０の移動端末装置２１は、プロジェクター１１に対しデータ送信可能な無線通信部２１８と、画像データを記憶する記憶部２１４と、記憶部２１４に記憶した画像データに対応する画像を表示パネル２２に表示する表示部２１６と、表示パネル２２に対する接触操作を検出する操作検出部２１７と、表示部２１６によって上記画像データに対応する画像が表示された状態で操作検出部２１７によって接触操作が検出された場合に、上記画像データを無線通信部２１８によりプロジェクター１１に送信する画像送信制御部２１３と、を備え、移動端末装置２１が画像を表示した表示パネル２２に対して接触操作を行うことにより、移動端末装置２１により表示されていた画像がプロジェクター１１によって表示される。これにより、移動端末装置２１における操作を反映してプロジェクター１１を動作させることができ、移動端末装置２１のユーザーインターフェースを利用して、プロジェクター１１の操作性の向上を図ることができる。
【００４３】
また、移動端末装置２１は、プロジェクター１１に対しデータ送信可能な無線通信部２１８と、画像データを記憶する記憶部２１４と、記憶部２１４が記憶した画像データに対応する画像を表示パネル２２に表示する表示部２１６と、この移動端末装置２１を動かす操作を検出する操作検出部２１７と、表示部２１６によって上記画像データに対応する画像が表示された状態で操作検出部２１７によって移動端末装置２１を動かす操作が検出された場合に、上記画像データを無線通信部２１８によりプロジェクター１１に送信する画像送信制御部２１３と、を備え、移動端末装置２１が画像を表示した状態で移動端末装置２１を動かす操作を行うことにより、移動端末装置２１に表示中の画像がプロジェクター１１によって表示される。これにより、移動端末装置２１における操作を反映してプロジェクター１１を動作させることができ、移動端末装置２１のユーザーインターフェースを利用して、プロジェクター１１の操作性の向上を図ることができる。
【００４４】
また、移動端末装置２１は、操作検出部２１７によって検出した接触操作の方向及び速さを判定する操作判定部２１２を備え、画像送信制御部２１３は、表示部２１６によって画像データに対応する画像が表示された状態で操作検出部２１７によって接触操作又は移動端末装置２１を動かす操作が検出された場合に、操作判定部２１２により判定された方向及び速さを反映した形態でプロジェクター１１が上記画像データに対応する画像を表示するための情報を、無線通信部２１８によりプロジェクター１１に送信するので、プロジェクター１１によって、移動端末装置２１に対する操作の態様を反映した表示を行わせることができる。
ここで、移動端末装置２１は、接触操作の方向または速さの少なくともいずれか一方を判定するものであり、プロジェクター１１は、接触操作の方向または速さを反映した表示を行うものであってもよく、この場合も上記実施形態と同様に、移動端末装置２１に対する操作の態様を反映した表示を行わせることができる。
また、画像送信制御部２１３は、表示部２１６によって表示パネル２２に表示された画像データをプロジェクター１１に送信するので、移動端末装置２１が記憶する画像データをプロジェクター１１により表示させることができる。
【００４５】
また、画像送信制御部２１３は、画像データとともに、操作判定部２１２により判定された方向及び速さを示す移動データをプロジェクター１１に送信するので、プロジェクター１１において、移動端末装置２１の操作の方向及び速さを容易に取得することができ、この操作の方向及び速さを反映した形態で画像を表示できる。
【００４６】
また、画像送信制御部２１３は、操作検出部２１７により検出された接触操作が表示パネル２２外に続くスライド操作であった場合に、情報をプロジェクター１１に送信するので、移動端末装置２１の表示パネル２２に対するスライド操作に応答して、このスライド操作の方向及び速さを示す移動データがプロジェクター１１に送信されるので、プロジェクター１１を簡単に、かつ手軽に操作して画像を任意の形態で表示させることができる。
【００４７】
また、プロジェクター１１は、画像データを表示する投射部３と、移動端末装置２１から送信された画像データと、移動端末装置２１における操作の方向及び速さを示す移動データとを受信する無線通信部４７と、無線通信部４７により受信された画像データを、移動端末装置２１における操作の方向及び速さを反映した形態で投射部３により表示する表示制御部１３２と、を備えているので、プロジェクター１１において移動端末装置２１における操作の方向及び速さを反映して画像を表示できる。
【００４８】
なお、上述した実施形態は本発明を限定するものではなく、上記実施形態とは異なる態様として本発明を適用することも可能である。例えば、上記実施形態では、プロジェクター１１が、移動端末装置２１における操作の方向と一致するように、スクリーンＳＣ上で画像２０１を移動させる例を挙げて説明したが、本発明はこれに限定されるものではなく、表示態様が移動端末装置２１における操作と完全に一致しなくてもよいし、より大まかに反映されてもよく、移動端末装置２１を操作するユーザーが、操作の方向が反映されたと認識できる程度であればよい。操作の速さについても同様である。さらに、上記実施形態では移動端末装置２１を振る操作を検出するために加速度センサー２６を設けた構成を例示したが、加速度センサー２６に代えてジャイロセンサーを設けても同様に効果が得られる。
【００４９】
また、例えば、上記実施形態では、移動端末装置として、画像データを記憶し、表示する機能を有する移動端末装置２１を用いる場合を例に説明したが、移動端末装置２１が備える機能に制限はなく、携帯型電話としての通話機能及び無線電話回線を介した通信機能を有する装置や、携帯型ビデオゲーム機、電子書籍閲覧端末等の各種の携帯型の機器に本発明を適用してもよい。
また、例えば、上記実施形態では、光源が発した光を変調する変調手段として、ＲＧＢの各色に対応した３枚の透過型または反射型の液晶パネル３２を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせた方式等により構成してもよい。ここで、変調部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能であれば問題なく採用できる。
【００５０】
さらに、本発明の表示装置は、スクリーンＳＣに画像を投射するプロジェクターに限定されず、液晶表示パネルに画像を表示する液晶モニターまたは液晶テレビ、或いは、ＰＤＰ（プラズマディスプレイパネル）に画像を表示するモニター装置またはテレビ受像機、ＯＬＥＤ、ＯＥＬ等の有機ＥＬ表示パネルに画像を表示するモニター装置またはテレビ受像機等の自発光型の表示装置など、各種の表示装置も本発明の表示装置に含まれ、入力された画像信号に基づく画像をカラー表示することができる携帯型の表示装置も含まれる。この場合、液晶表示パネル、プラズマディスプレイパネル、有機ＥＬ表示パネルが変調手段に相当する。
【００５１】
また、上記実施形態においてプロジェクター１１の記憶部１０５に記憶された制御プログラム、及び、移動端末装置２１の記憶部２１４に記憶された制御プログラム２１４Ａを図示しない不揮発性メモリーが記憶する構成であってもよいし、可搬型の記録媒体に記憶されている構成であってもよいし、或いは、移動端末装置２１が通信ネットワークを介して接続された他の装置にダウンロード可能に記憶されていてもよい。また、図２及び図３に示した移動端末装置２１及びプロジェクター１１の各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示システム１０の具体的な細部構成について、本発明の趣旨を逸脱しない範囲で任意に変更可能である。
【符号の説明】
【００５２】
３…投射部（表示手段）、１０…表示システム、１１…プロジェクター（表示装置）、２１…移動端末装置、２２…表示パネル（表示画面）、２３…タッチスクリーン、２６…加速度センサー、４５…操作パネル、４７…無線通信部（受信手段）、１０３…制御部、１０５…記憶部、１０５Ａ…制御プログラム、１１３…画像処理部、１２３…入力処理部、１３１…通信制御部、１３２…表示制御部、２０１…画像、２１１…制御部、２１２…操作判定部（操作判定手段）、２１３…画像送信制御部（制御手段）、２１４…記憶部（記憶手段）、２１４Ａ…制御プログラム、２１５…画像データ、２１６…表示部（表示手段）、２１７…操作検出部（検出手段）、２１８…無線通信部（通信手段）、ＳＣ…スクリーン。
【図１】
2012242927.tif 000003
【図２】
2012242927.tif 000004
【図３】
2012242927.tif 000005
【図４】
2012242927.tif 000006
【図５】
2012242927.tif 000007
【図６】
2012242927.tif 000008